(57)【要約】      （修正有）【課題】投球装置に設けられた表示装置を任意の場所に移動して使用できるようにした、ピッチングマシンを提供する。【解決手段】打者に向けてボール４を投げ出す投球装置２と、投球装置の動作と同期して打者に向けて投手の投球動作の動画を表示する表示装置３とを有するピッチングマシン１において、投球装置から投げ出されるボールの打者から見て左側と右側とに表示装置を移動可能とするとともに高さ調節可能とすることにした。また、コントローラーによって表示装置の位置に応じて表示装置で表示する画像を左投げと右投げとに変更可能とすることにした。さらに、前記表示装置の画像を表示する表示器２３の打者側に表示器を打球から保護するための保護板を表示器に対して下向きに傾斜させて設けることにした。【選択図】図１
0003234029.tif 000002
【実用新案登録請求の範囲】
【請求項１】
打者に向けてボールを投げ出す投球装置と、投球装置の動作と同期して打者に向けて投手の投球動作の動画を表示する表示装置とを有するピッチングマシンにおいて、
投球装置から投げ出されるボールの打者から見て左側と右側とに表示装置を移動可能とするとともに高さ調節可能としたことを特徴とするピッチングマシン。
【請求項２】
コントローラーによって表示装置の位置に応じて表示装置で表示する画像を左投げと右投げとに変更可能としたことを特徴とする請求項１に記載のピッチングマシン。
【請求項３】
前記表示装置の画像を表示する表示器の打者側に表示器を打球から保護するための保護板を表示器に対して下向きに傾斜させて設けたことを特徴とする請求項１又は請求項２に記載のピッチングマシン。
【考案の詳細な説明】
【技術分野】
【０００１】
本考案は、打者に向けてボールを投げ出す投球装置と、投球装置の動作と同期して打者に向けて画像を表示する表示装置とを有するピッチングマシンに関するものである。
【背景技術】
【０００２】
従来より、バッティングセンターに設置されているピッチングマシンにおいては、打者に向けてボールを投げ出す投球装置とともに、投球装置の動作（ボールの投げ出し動作）と同期して打者に向けて画像（投手の投球動画）を表示する表示装置が一体となったピッチングマシンが知られている（たとえば、実用新案登録文献１参照。）。
【０００３】
バッティングセンターでは、この投球装置及び表示装置一体型のピッチングマシンを打席の前方に固定設置して使用されている。
【先行技術文献】
【特許文献】
【０００４】
【特許文献１】特開２００１−２９５２９号公報
【考案の概要】
【考案が解決しようとする課題】
【０００５】
ところが、ピッチングマシンは、バッティングセンターのように特定場所に固定して使用される場合に限られず、グランドや室内練習場などにおいて任意の場所に移動して使用される場合もある。
【０００６】
そのため、従来においては、グランドや室内練習場などでピッチングマシンを使用する場合に、移動可能に構成した投球装置のみからなるピッチングマシンを使用せざるを得ず、投手の投球動作の画像に合わせてボールを打者に向けて投げ出すことができなかった。
【課題を解決するための手段】
【０００７】
そこで、請求項１に係る本考案では、打者に向けてボールを投げ出す投球装置と、投球装置の動作と同期して打者に向けて投手の投球動作の動画を表示する表示装置とを有するピッチングマシンにおいて、投球装置から投げ出されるボールの打者から見て左側と右側とに表示装置を移動可能とするとともに高さ調節可能とすることにした。
【０００８】
また、請求項２に係る本考案では、前記請求項１に係る本考案において、コントローラーによって表示装置の位置に応じて表示装置で表示する画像を左投げと右投げとに変更可能とすることにした。
【０００９】
また、請求項３に係る本考案では、前記請求項１又は請求項２に係る本考案において、前記表示装置の画像を表示する表示器の打者側に表示器を打球から保護するための保護板を表示器に対して下向きに傾斜させて設けることにした。
【考案の効果】
【００１０】
そして、本考案では、以下に記載する効果を奏する。
【００１１】
すなわち、本考案では、打者に向けてボールを投げ出す投球装置と、投球装置の動作と同期して打者に向けて画像を表示する表示装置とを有するピッチングマシンにおいて、表示装置を移動可能とすることにしているために、グランドや室内練習場などの任意の場所に表示装置を移動させて使用することができる。
【００１２】
特に、投球装置から投げ出されるボールの打者から見て左側と右側とに表示装置を移動可能とするとともに、表示装置で表示する画像を左投げと右投げとに変更可能とすることにした場合には、左投げ及び右投げの投手によるボールを疑似的に投げ出すことができるので、練習効果を向上させることができる。
【００１３】
また、表示装置の画像を表示する表示器の打者側に表示器を打球から保護するための保護板を表示器に対して下向きに傾斜させて設けることにした場合には、グランドや室内練習場などの太陽光や照明光などの影響で保護板に写り込みが生じても打者には見えず、打者には表示器の画像だけを見せることができる。
【図面の簡単な説明】
【００１４】
【図１】本考案に係るピッチングマシンを示す正面図。
【図２】同右側面図。
【図３】表示装置の一部切欠断面図（ａ）、同背面図（ｂ）。
【図４】同部分拡大側面図（ａ）、部分拡大背面断面図（ｂ）。
【考案を実施するための形態】
【００１５】
以下に、本考案に係るピッチングマシンの具体的な構成について、図面を参照しながら説明する。
【００１６】
図１及び図２に示すように、ピッチングマシン１は、それぞれ別体で独立して移動可能（走行可能）かつ高さ調節可能に形成した投球装置２と表示装置３とで構成している。ここで、投球装置２は、打者（前方）に向けてボール４を投げ出す装置であればよく、以下の説明では空気圧を利用してボール４を投げ出す装置を用いているが、これに限られず、アーム式やローター式の装置でもよい。また、表示装置３は、投球装置２の動作（ボール４を発射する動作）と同期して打者（前方）に向けて画像（投手の投球動作の動画）を表示する装置であればよく、実写された画像に限られずアニメーションなどでもよい。
【００１７】
投球装置２は、図１及び図２に示すように、走行可能な架台５の上部に高さ調節手段６を取付け、高さ調節手段６の上部にボール発射装置７とボール収容装置８とボール搬送装置９とを載置している。高さ調節手段６は、下面に対して上面を昇降させることができる機構であればよく、ここでは、上下に垂直に昇降できるようになっている。
【００１８】
これにより、投球装置２は、架台５によってボール発射装置７とボール収容装置８とボール搬送装置９とを一体的に移動（運搬）させることができるようになっており、また、高さ調節手段６によってボール発射装置７とボール収容装置８とボール搬送装置９とを上下に昇降させることができるようになっている。
【００１９】
ボール発射装置７は、筐体10の前端面に形成した開口11から前方の打者に向けてボール４を投げ出す装置であればよく、ここでは、筐体10の内部に空気圧によってボール４を投げ出す機構を収容している。
【００２０】
また、ボール発射装置７は、高さ調節手段６の上部に取付けられた基台12に傾き調節手段13を介して前後傾動可能に取付けられている。傾き調節手段13は、ボール発射装置７の前後の傾きを調節することができる機構であればよく、ここでは、後端部を支点に前側を上下に傾動させることができるようになっている。これにより、ボール発射装置７は、高さ調節手段６によって投げ出すボール４の高さを調節することができるとともに、傾き調節手段13によって投げ出すボール４の角度を調節することができるようになっている。
【００２１】
さらに、ボール発射装置７は、筐体10の上部にボール４を供給するボール供給通路14を設けている。このボール供給通路14は、筐体10の上部に上下傾動可能に取付けられている。このボール供給通路14を介してボール発射装置７はボール搬送装置９の前側上部とボール４を受渡可能に接続されている。
【００２２】
ボール収容装置８は、複数球のボール４を収容する装置であればよく、ここでは、箱型の筐体15の底16を前高後低状に傾斜させるとともに、後端部に収容されたボール４を撹拌するとともに中央後端部に搬送する撹拌搬送手段17を設けている。この撹拌搬送手段17を介してボール収容装置８はボール搬送装置９の前側下部とボール４を受渡可能に接続されている。これにより、ボール収容装置８は、筐体15の内部に収容した複数球のボール４を一球ずつ撹拌搬送手段17でボール搬送装置９に受け渡せるようになっている。
【００２３】
ボール搬送装置９は、下方のボール収容装置８から上方のボール発射装置７にボール４を１球ずつ垂直上向き方向に向けて搬送する装置である。ここでは、上下に垂直に伸延する左右一対のスパイラル状の搬送翼18,18をボール４の直径よりも若干広い間隔で配置している。そして、左右の搬送翼18,18をそれぞれ逆向きに回転駆動することで、１球ずつボール４を挟みながら上方へ向けて垂直に搬送する。これにより、ボール搬送装置９は、ボール収容装置８から受け渡されたボール４を上方に向けて搬送し、ボール発射装置７のボール供給通路14に供給するようになっている。
【００２４】
投球装置２は、以上に説明したように構成されており、制御装置19で制御される。
【００２５】
表示装置３は、図１〜図３に示すように、走行可能な架台20の上部に高さ調節手段21を取付け、高さ調節手段21の上部中央に上下に伸延させた支持体22を取付け、支持体22の前部に画像を表示する表示器23を着脱自在に取付けるとともに、支持体22の上部にコントローラ24を着脱自在に取付けている。高さ調節手段21は、下面に対して上面を昇降させることができる機構であればよく、ここでは、上下に垂直に昇降できるようになっている。
【００２６】
コントローラ24は、投球装置２の制御装置19に接続されており、制御装置19で制御される。このコントローラ24は、制御装置19からの信号を受けて予め記憶媒体に記憶した画像を表示器23に表示させるようにしている。これにより、表示装置３は、投球装置２の動作に同期した画像を表示器23で表示できるようになっている。
【００２７】
また、表示装置３は、高さ調節手段21の上部に表示器23を打球から保護するための保護体25を振動抑制手段26を介して取付けている。
【００２８】
これにより、表示装置３は、架台20によって表示器23を保護体25と一体的に移動（運搬）させることができるようになっており、また、高さ調節手段21によって表示器23及び保護体25を上下に昇降させることができるようになっている。そして、表示装置３は、投球装置２から投げ出されるボール４（投球装置２の開口11）の打者から見て左側と右側とに表示器23を移動させることができ、コントローラ24によって表示装置３（表示器23）の位置に応じて、表示装置３（表示器23）で表示する画像を左投げと右投げとに変更できるようにしている。
【００２９】
保護体25は、架台20に対して表示器23とは独立して取付けられており、表示器23の左右に間隔をあけて上下に伸延する薄板状の側板27,28の上部間に表示器23の上に間隔をあけて左右に伸延する薄板状の天板29を設けるとともに、側板27,28及び天板29の前端部に表示器23を打球から保護するプラスチック製の透明な保護板30を取付けている。なお、保護板30は、ボール４が通過しないサイズの貫通孔を複数形成して軽量化を図ることもできる。
【００３０】
表示装置３は、水平な架台20に対して表示器23の画面が垂直となるようにするとともに、垂直な表示器23の画面に対して保護板30を打者から見て下向きに所定角度（５度〜１５度）だけ傾斜させている。これにより、太陽光や室内光などの外光が保護板30に反射しても地面や床に向けて反射するようにして、打者が表示器23の画面を見ても外光が保護板30に写り込まないようにしている。
【００３１】
保護体25は、高さ調節手段21に対して表示器23とは独立して振動抑制手段26を介して取付けられている。振動抑制手段26は、保護体25の振動が高さ調節手段21を介して表示器23に伝播するのを抑制（軽減）して、打球が保護体25に衝突しても表示器23が振動するのを抑制することができればよい。ここでは、図４に示すように、高さ調節手段21の上部左右端に垂直なブラケット31を取付け、ブラケット31に上端から下方に向けて上下に伸延する切欠32,33を前後に並べて形成している。一方、保護体25の側板27(28)の下端に外方へ向けてピン34,35を前後に並べて取付けている。ピン34,35は、円柱状の脚部36の端部に円板状の頭部37を形成しており、脚部36が切欠32,33の幅よりも狭く、頭部37が切欠32,33の幅よりも広くなっている。そして、保護体25のピン34,35をブラケット31の切欠32,33に差し込むことで、ブラケット31で保護体25を係止している。これにより、保護体25にボール４が衝突して保護体25が前後に振動しても、ピン34,35の脚部36が切欠32,33の幅内で動き、保護体25の振動がブラケット31を介して高さ調節手段21や表示器23に直接伝播しないようになっている。
【００３２】
以上に説明したように、上記ピッチングマシン１は、打者に向けてボール４を投げ出す投球装置２と、投球装置２の動作と同期して打者に向けて画像を表示する表示装置３とを有し、表示装置３を移動可能に構成している。
【００３３】
そのため、上記構成のピッチングマシン１では、グランドや室内練習場などの任意の場所に表示装置３を移動させて使用することができる。この場合に、表示装置３だけを移動させて他の投球装置と組み合わせて使用することもでき、また、投球装置２も移動可能に構成して投球装置２と表示装置３を併せて移動させて使用することもできる。
【００３４】
また、上記ピッチングマシン１は、投球装置２から投げ出されるボール４の打者から見て左側と右側とに表示装置３を移動可能とするとともに、表示装置３で表示する画像を左投げと右投げとに変更可能に構成している。
【００３５】
そのため、上記構成のピッチングマシン１では、左投げ及び右投げの投手によるボール４を疑似的に投げ出すことができるので、練習効果を向上させることができる。
【００３６】
また、上記ピッチングマシン１は、表示装置３の画像を表示する表示器23の打者側に表示器23を打球から保護するための保護板30を表示器23に対して下向きに傾斜させて設けた構成となっている。
【００３７】
そのため、上記構成のピッチングマシン１では、グランドや室内練習場などの太陽光や照明光などの影響で保護板30に写り込みが生じても打者には見えず、打者には表示器23の画像だけを見せることができる。
【符号の説明】
【００３８】
１  ピッチングマシン                ２  投球装置
３  表示装置                        ４  ボール
５  架台                            ６  高さ調節手段
７  ボール発射装置                  ８  ボール収容装置
９  ボール搬送装置                  10  筐体
11  開口                            12  基台
13  傾き調節手段                    14  ボール供給通路
15  筐体                            16  底
17  撹拌搬送手段                    18  搬送翼
19  制御装置                        20  架台
21  高さ調節手段                    22  支持体
23  表示器                          24  コントローラ
25  保護体                          26  振動抑制手段
27,28  側板                         29  天板
30  保護板                          31  ブラケット
32,33  切欠                         34,35  ピン
36  脚部                            37  頭部
【図１】
0003234029.tif 000003
【図２】
0003234029.tif 000004
【図３】
0003234029.tif 000005
【図４】
0003234029.tif 000006